(57)【要約】【課題】本考案は、薄い紙の封筒においても封入物の封入封緘が容易にでき、開封時には封入物を損傷することがなくハサミ等を使わず指で開封できる、開封が容易な封筒の実現を目的とする。【解決手段】封緘部３０に切込み線３，４と切欠き５，６，７と折曲げ線８を形成し、また当該封緘部３０の糊の塗布範囲４０に糊を塗布し、封緘用剥離紙１を封緘用剥離紙の貼る位置４１に貼り、開封用剥離紙２を開封用剥離紙の貼る位置４２に貼った二片の剥離紙を備え、封緘時は封緘用剥離紙１を剥がし封緘する、開封時は封緘部３０の切欠き５，６，７から見えている開封用剥離紙２を引っ張ることにより開封できる。このことにより薄紙の封筒においても封入物の封入封緘が容易にでき、封筒を開封する時は封入物を損傷することなく指で容易に開封できる特徴としている。【選択図】図１
0003151778.tif 000002
【実用新案登録請求の範囲】
【請求項１】
封緘部に切込み線、切欠き、折曲げ線を形成し、当該封緘部に糊を塗布し、塗布した糊の上に封緘用剥離紙と開封用剥離紙を備え、封緘時には封緘用剥離紙を剥がし折り曲げ線に沿って折り曲げ封緘部に塗布している糊にて封緘することができる。開封時は封緘部の両サイドの切込みから見える開封用剥離紙を掴み切込み線に沿って引っ張ることにより開封することができる。よって薄紙封筒においても封入物の封入封緘が容易にでき、封筒を開封する時は封入物を損傷する事がなく指で容易に開封できることを特徴とする、開封が容易な封筒。
【考案の詳細な説明】
【技術分野】
【０００１】  本考案は封筒に関する。
【背景技術】
【０００２】  従来開封時に封入物の破損を防止するために開封部にあらかじめミシン目を形成し開封が容易にできる封筒があった。しかし上記封筒は封筒の紙片である開封部を直接掴みミシン目に沿って開封するためミシン目の切込みを多く取らなければならなく、よってミシン目の強度が弱くなり開封する前にミシン目が裂ける欠点があった。欠点を補う条件として厚紙の封筒となり、一般用薄紙の封筒には使えない欠点があった（例えば、特許文献１）。
【特許文献１】特開平１０−１８１７４９
【考案が解決しようとする課題】
【０００３】  薄紙の封筒においても封入物の封入封緘が容易にでき、封筒を開封する時は封入物を損傷することなく指で容易に開封できる封筒を提供することを技術的課題とする。
【課題を解決するための手段】
【０００４】  本考案は前記の課題を解決するため、以下の構成を採用した。
【０００５】  本考案は封緘部に切込み線、切欠き、折込み線を形成する手段と、当該封緘部に糊を塗布する手段と、塗布した糊の上に二片の剥離紙を貼り付ける手段を備えた開封が容易な封筒である。
【０００６】  封緘部に切込み線、切欠き、折込み線を形成する手段は、開封時に開口部が開けやすくするための切込み線と、一片の剥離紙が掴み易くするための切欠きと、封緘時に封緘部を折り曲げ易くするための折込み線を形成している。
【０００７】  封緘部に糊を塗布する手段は、封筒を封緘する時あらかじめ封緘に糊を塗布して封緘し易くしている。
【０００８】  二片の剥離紙を貼り付ける手段は、一片を封緘用剥離紙として設け、封緘時に封緘部から剥がして封緘し、もう一片は開封用剥離紙として設け、開封時に開封用剥離紙を掴み開封するための剥離紙である。
【０００９】  前記開封用剥離紙は部材を剥離紙にしているが、開封し易い部材であればいかなるものでもよい。
【作用】
【００１０】  本考案に係る開封が容易な封筒は、封緘時において封緘部から封緘用剥離紙を剥がし折曲げ線に沿って折曲げ封緘部に塗布してある糊にて封緘する。
【００１１】  開封時は封緘された封緘部の切込み部から見える開封用剥離紙を掴み切込み線に沿って引っ張ることにより切込み線が裂け開封する事ができる。
【考案の効果】
【００１２】  本考案に係る開封が容易な封筒は、封入封緘が容易にでき開封時もハサミ等を使わず指で封入物を損傷することなく開封することができる。
【００１３】  なお、開封時剥離紙を掴んで当該剥離紙によって封緘部の切込みを裂くことにより、切込み線は荒くても良く切込部の強度が強くなるため薄紙の封筒においても可能となる。
【考案を実施するための最良の形態】
【００１４】  本考案に係る開封が容易な封筒の実施形態を、図面に基づいて説明する。【００１５】  図１は開封が容易な封筒の構成図である。封緘部３０に切込み線３，４と切欠き５，６，７と折曲げ線８を形成し、封緘部に糊の塗布範囲４０に、糊を塗布し二片の剥離紙の一片は封緘部用剥離紙１，もう一片は開封用剥離紙２を貼り付けた構造になっている。【００１６】  切込み線３，４は開封時に開封し易くするために切込んである、また切込み部の紙片を持たずに開封用剥離紙２を掴んで開封するため当該切込み３，４は荒くすることができ、薄い紙封筒でも開封前に裂けることがない強度を保つことができる。【００１７】  切欠き５，６，７は封緘部３０の両端に成形し封緘後切欠き部５，６，７から開封用剥離紙２が見え掴みやすくしている。【００１８】  封緘部３０の糊の塗布範囲４０に糊を塗布する。【００１９】  封緘用剥離紙１を封緘用剥離紙の貼る位置４１に貼る。【００２０】  開封用剥離紙２を開封用剥離紙の貼る位置４２に貼る。【００２１】  図２は封筒の宛先を書く封筒の表面１０に封緘部３０を開いた封緘前の状態である。封緘部３０の裏面に封緘用剥離紙１が貼り付けてあり、切込み５，６，７の部分から開封用剥離紙２が見え当該剥離紙も封緘部３０の裏面に貼り付けてある。封緘部３０に切込み線３，４を成形し切込み線の幅は開封用剥離紙２とほぼ同等の幅である。封緘部３０と封筒の表面の境に折曲げ線８を成形してある。【００２２】  図３は封筒の裏側２０に封緘部３０を開いた封緘前の状態である。封緘部３０に封緘用剥離紙１と開封用剥離紙２が貼り付けてある。【００２３】  図４は封緘した状態の封筒の裏面２０である。切欠き５，６，７から開封用剥離紙２が見える。
【産業上の利用可能性】
【００２４】  封筒の使用頻度は膨大なものです、よって開封が容易な封筒は産業上の利用頻度は絶大である。
【図面の簡単な説明】
【００２５】
【図１】開封が容易な封筒の構成図
【図２】開封が容易な封筒の封緘前表側図
【図３】開封が容易な封筒の封緘前裏側図
【図４】開封が容易な封筒の封緘後裏側図
【符号の説明】
【００２６】      １封緘用剥離紙
２開封用剥離紙
３切込み線
４切込み線
５切欠き
６切欠き
７切欠き
８折り曲げ線
１０封筒表側
２０封筒裏側
３０封緘部
４０糊の塗布範囲
４１封緘用剥離紙の貼る位置
４２開封用剥離紙の貼る位置
【図１】
0003151778.tif 000003
【図２】
0003151778.tif 000004
【図３】
0003151778.tif 000005
【図４】
0003151778.tif 000006
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
封緘時に封緘部と封筒部が接触する封緘部面に糊を塗布し、糊が乾燥しないように封緘用剥離紙と開封用剥離紙を備え、開封時に開封用剥離紙を掴み易くするための切欠きを施し、開封時に封緘部が裂かれ易くするための切込み線を設け、封筒の開封時に封入物を損傷することがなく指で容易に開封できることを特徴とする開封が容易な封筒。